(57)【特許請求の範囲】
【請求項１】
表示画像を生成する画像処理装置と、前記画像処理装置で生成された画像を表示するディスプレイ装置とからなる自己画像診断システムの自己画像診断方法であって、
前記画像処理装置が、基準信号の画像を生成し、前記基準信号の画像をエンコードして出力する工程と、
前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信する工程と、
前記画像処理装置が、前記ディスプレイ装置から返送されてきた画像と前記基準信号の画像とを比較して画像診断を行う工程と
を含み、
前記画像診断を行う工程では、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、
前記ディスプレイ装置から返送されてきた画像と前記生成された基準信号の画像とが一致する場合であって、前記表示パネルに表示される画像に画質劣化がある場合には、前記デコードされた画像の画質補正を行って前記表示パネルに表示する映像表示部に設定ミスがあると判定することを特徴とする自己画像診断方法。
【請求項２】
表示画像を生成する画像処理装置と、前記画像処理装置で生成された画像を表示するディスプレイ装置とからなる自己画像診断システムの自己画像診断方法であって、
前記画像処理装置が、基準信号の画像を生成し、前記基準信号の画像をエンコードして出力する工程と、
前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信する工程と、
前記画像処理装置が、前記ディスプレイ装置から返送されてきた画像と前記基準信号の画像とを比較して画像診断を行う工程と、
前記ディスプレイ装置から返送されてきた画像と前記生成された基準信号の画像とが異なる場合には、前記ディスプレイ装置の受信設定を変更する工程と
を含むようにしたことを特徴とする自己画像診断方法。
【請求項３】
前記受信設定を変更する工程では、全ての受信設定に変更したか否かを判定し、
全ての受信設定に変更していなければ、再度、前記画質補正を行う前の画像から前記基準信号に対応する位置の画像を切り出して前記画像処理装置に送信し、
全ての受信設定に変更していれば、前記画像処理装置は、前記表示パネルに表示される画像に画質劣化がある場合、前記デコードされた画像の画質補正を行って前記表示パネルに表示する映像表示部に設定ミスがあると判定することを特徴とする請求項２に記載の自己画像診断方法。
【請求項４】
前記基準信号として色票群を生成することを特徴とする請求項１から請求項３のいずれか一項に記載の自己画像診断方法。
【請求項５】
前記基準信号として生成する色票群は、使用者が選択可能であることを特徴とする請求項４に記載の自己画像診断方法。
【請求項６】
前記基準信号の画像をエンコードする処理では、前記画像処理装置はＲＧＢ画像の信号をＹＣｒＣｂ画像の信号にエンコードし、
前記入力された映像信号をデコードする処理では、前記ディスプレイ装置はＹＣｒＣｂ画像の信号からＲＧＢ画像の信号をデコードする
ことを特徴とする請求項１から請求項５のいずれか一項に記載の自己画像診断方法。
【請求項７】
前記画像診断を行う工程では、前記画像処理装置は、前記ディスプレイ装置から返送されてきたＲＧＢ画像と前記基準信号として生成されたＲＧＢ画像とを１画素ずつ比較することを特徴とする請求項６に記載の自己画像診断方法。
【請求項８】
表示画像を生成する画像処理装置と、前記画像処理装置で生成された画像を表示するディスプレイ装置とからなる自己画像診断システムの自己画像診断プログラムであって、
前記画像処理装置が、基準信号の画像を生成し、前記基準信号の画像をエンコードして出力するステップと、
前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信するステップと、
前記画像処理装置が、前記ディスプレイ装置から返送されてきた画像と前記基準信号の画像とを比較して画像診断を行うステップと
を含み、
前記画像診断を行うステップでは、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、
前記ディスプレイ装置から返送されてきた画像と前記生成された基準信号の画像とが一致する場合であって、前記表示パネルに表示される画像に画質劣化がある場合には、前記デコードされた画像の画質補正を行って表示パネルに表示する映像表示部に設定ミスがあると判定することを特徴とするコンピュータにより実行可能な自己画像診断プログラム。
【請求項９】
表示画像を生成する画像処理装置と、前記画像処理装置で生成された画像を表示するディスプレイ装置とからなる自己画像診断システムの自己画像診断プログラムであって、
前記画像処理装置が、基準信号の画像を生成し、前記基準信号の画像をエンコードして出力するステップと、
前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信するステップと、
前記画像処理装置が、前記ディスプレイ装置から返送されてきた画像と前記基準信号の画像とを比較して画像診断を行うステップと、
前記ディスプレイ装置から返送されてきた画像と前記生成された基準信号の画像とが異なる場合には、前記ディスプレイ装置の受信設定を変更するステップと
を含むようにしたことを特徴とするコンピュータにより実行可能な自己画像診断プログラム。
【請求項１０】
画像処理装置で生成された画像を表示するディスプレイ装置であって、
前記画像処理装置で生成され、エンコードされた基準信号の画像を入力し、入力された映像信号をデコードする映像デコード入力部と、
前記デコードされた画像の画質補正を行って表示パネルに表示する映像表示部と、
前記画質補正を行う前の画像から前記基準信号に対応する位置の画像を切り出して前記画像処理装置に送信する画像切り出し部と、
を備え、
前記画像処理装置が、前記ディスプレイ装置から返送されてきた画像と前記生成された基準信号の画像とが異なる場合には、前記画像処理装置の故障である、または、前記画像処理装置に設定ミスがあると判定し、前記ディスプレイ装置は、受信設定を変更し、
前記画像処理装置が、前記ディスプレイ装置から返送されてきた画像と前記生成された基準信号の画像とが一致すると判定した場合であって、前記表示パネルに表示される画像に画質劣化がある場合には、前記デコードされた画像の画質補正を行って前記表示パネルに表示する前記映像表示部に設定ミスがあると判定し、前記映像表示部は、前記デコードされた画像の画質補正を行って前記表示パネルに表示することを特徴とするディスプレイ装置。
【請求項１１】
画像処理装置で生成された画像を表示するディスプレイ装置であって、
前記画像処理装置で生成され、エンコードされた基準信号の画像を入力し、入力された映像信号をデコードする映像デコード入力部と、
前記デコードされた画像の画質補正を行って表示パネルに表示する映像表示部と、
前記画質補正を行う前の画像から前記基準信号に対応する位置の画像を切り出して前記画像処理装置に送信する画像切り出し部と、
を備え、
前記画像処理装置が、前記ディスプレイ装置から返送されてきた画像と前記生成された基準信号の画像とが異なると判定した場合には、前記ディスプレイ装置の受信設定を変更することを特徴とするディスプレイ装置。
【請求項１２】
表示画像を生成する画像処理装置と、前記画像処理装置で生成された画像を表示するディスプレイ装置とからなる自己画像診断システムであって、
前記画像処理装置は、基準信号の画像を生成する基準信号描画部と、前記基準信号の画像をエンコードして出力する映像エンコード出力部と、前記ディスプレイ装置から返送されてきた画像と前記基準信号描画部で生成された画像とを比較する入出力比較部とを有し、
前記ディスプレイ装置は、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部とを有し、
前記入出力比較部は、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、
前記ディスプレイ装置から返送されてきた画像と前記生成された基準信号の画像とが一致する場合であって、前記表示パネルに表示される画像に画質劣化がある場合には、前記デコードされた画像の画質補正を行って前記表示パネルに表示する前記映像表示部に設定ミスがあると判定することを特徴とする自己画像診断システム。
【請求項１３】
表示画像を生成する画像処理装置と、前記画像処理装置で生成された画像を表示するディスプレイ装置とからなる自己画像診断システムであって、
前記画像処理装置は、基準信号の画像を生成する基準信号描画部と、前記基準信号の画像をエンコードして出力する映像エンコード出力部と、前記ディスプレイ装置から返送されてきた画像と前記基準信号描画部で生成された画像とを比較する入出力比較部とを有し、
前記ディスプレイ装置は、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部とを有し、
前記ディスプレイ装置から返送されてきた画像と前記生成された基準信号の画像とが異なる場合には、前記ディスプレイ装置の受信設定を変更する
ことを特徴とする自己画像診断システム。
【発明の詳細な説明】
【技術分野】
【０００１】
本発明は、自己画像診断方法、自己画像診断プログラム、ディスプレイ装置、及び自己画像診断システムに関する。
【背景技術】
【０００２】
医療やグラフィックデザインなど画像を扱う業務では、規格を基準とした一貫した色再現が必要である。このため、パーソナルコンピュータの画像表示アプリケーションから画像を表示するディスプレイまでの伝送路で、映像データが変化や損失なく伝送されることが必要である。ここで言う伝送路にはＤＶＩ（Digital VisualInterface）やＨＤＭＩ（登録商標）（High-Definition MultimediaInterface）といった電気通信部だけでなく、オペレーティング・システムのカラーマネジメント処理などデータ処理部も含む。【０００３】
一方、伝送路は、一般論として様々な映像フォーマットをサポートしている。すなわち、様々な利用用途や接続機器（ＡＶ機器／放送機器／パーソナルコンピュータ／モバイル機器等）に対応するため、送信側（例えばパーソナルコンピュータ）は受信機特性（例えばディスプレイ）に合わせて映像をエンコードし、これを受け取った受信機は送信側特性に合わせて映像をデコードする手順が行われている。ここで機器がサポートする映像フォーマットの増加とともに処理に伴う設定パラメタも増加し、結果として誤設定に起因した色ずれなど画質劣化（以下、伝送前後の信号変化を総括して画質劣化という）が発生しやすくなっている。しかしながら、このような表示環境の誤設定による画質劣化が生じても、ユーザは、この画質劣化が表示環境の誤設定によるものなのか、機器の故障等によるものなのかを知ることが難しい。このため、電子メールなどで受け取った診断用画像の表示画像の色味がおかしかった場合に、それが本来の画像の色なのか、表示環境の誤設定なのかわからない場合がある。【０００４】
なお、パーソナルコンピュータのディスプレイの色診断を行うものとしては、特許文献１に示されているものが提案されている。また、特許文献２には、プロファイルの調整時に、利用者の経験や感性によって左右されない定量的な評価を行うことができるようにするものが記載されている。
【先行技術文献】
【特許文献】
【０００５】
【特許文献１】特許第２９５６５２０号
【特許文献２】特開２００３−０８７５８９号公報
【発明の概要】
【発明が解決しようとする課題】
【０００６】
上述のように、機器がサポートする映像フォーマットの増加とともに、表示環境の誤設定による画質劣化が発生しやすくなっている。しかしながら、ディスプレイの画質劣化が生じた場合、この画質劣化が表示環境の誤設定により生じたものなのか、機器の故障等により生じたものなのかを区別することは難しい。【０００７】
上述の課題を鑑み、本発明の目的は、表示環境の誤設定による色診断と機器の故障等による色診断とを区別する自己画像診断方法、自己画像診断プログラム、ディスプレイ装置、及び自己画像診断システムを提供することを目的とする。
【課題を解決するための手段】
【０００８】
上述の課題を解決するために、本発明の一態様に係る自己画像診断方法は、表示画像を生成する画像処理装置と、前記画像処理装置で生成された画像を表示するディスプレイ装置とからなる自己画像診断システムの自己画像診断方法であって、前記画像処理装置が、基準信号の画像を生成し、前記基準信号の画像をエンコードして出力する工程と、前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信する工程と、前記画像処理装置が、前記ディスプレイ装置から返送されてきた画像と前記基準信号の画像とを比較して画像診断を行う工程とを含み、前記画像診断を行う工程では、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、前記ディスプレイ装置から返送されてきた画像と前記生成された基準信号の画像とが一致する場合であって、前記表示パネルに表示される画像に画質劣化がある場合には、前記デコードされた画像の画質補正を行って前記表示パネルに表示する映像表示部に設定ミスがあると判定することを特徴とする。
また、本発明の一態様に係る自己画像診断方法は、表示画像を生成する画像処理装置と、前記画像処理装置で生成された画像を表示するディスプレイ装置とからなる自己画像診断システムの自己画像診断方法であって、前記画像処理装置が、基準信号の画像を生成し、前記基準信号の画像をエンコードして出力する工程と、前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信する工程と、前記画像処理装置が、前記ディスプレイ装置から返送されてきた画像と前記基準信号の画像とを比較して画像診断を行う工程と、
前記ディスプレイ装置から返送されてきた画像と前記生成された基準信号の画像とが異なる場合には、前記ディスプレイ装置の受信設定を変更する工程とを含むようにしたことを特徴とする。
【０００９】
本発明の一態様に係る自己画像診断プログラムは、表示画像を生成する画像処理装置と、前記画像処理装置で生成された画像を表示するディスプレイ装置とからなる自己画像診断システムの自己画像診断プログラムであって、前記画像処理装置が、基準信号の画像を生成し、前記基準信号の画像をエンコードして出力するステップと、前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信するステップと、前記画像処理装置が、前記ディスプレイ装置から返送されてきた画像と前記基準信号の画像とを比較して画像診断を行うステップとを含み、前記画像診断を行うステップでは、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、前記ディスプレイ装置から返送されてきた画像と前記生成された基準信号の画像とが一致する場合であって、前記表示パネルに表示される画像に画質劣化がある場合には、前記デコードされた画像の画質補正を行って表示パネルに表示する映像表示部に設定ミスがあると判定することを特徴とする。
また、本発明の一態様に係る自己画像診断プログラムは、表示画像を生成する画像処理装置と、前記画像処理装置で生成された画像を表示するディスプレイ装置とからなる自己画像診断システムの自己画像診断プログラムであって、前記画像処理装置が、基準信号の画像を生成し、前記基準信号の画像をエンコードして出力するステップと、前記ディスプレイ装置が、入力された映像信号をデコードし、前記デコードされた画像の画質補正を行って表示パネルに表示するとともに、前記画質補正を行う前の画像から前記基準信号に対応する位置の画像を切り出して前記画像処理装置に送信するステップと、前記画像処理装置が、前記ディスプレイ装置から返送されてきた画像と前記基準信号の画像とを比較して画像診断を行うステップと、前記ディスプレイ装置から返送されてきた画像と前記生成された基準信号の画像とが異なる場合には、前記ディスプレイ装置の受信設定を変更するステップとを含むようにしたことを特徴とする。
【００１０】
本発明の一態様に係るディスプレイ装置は、画像処理装置で生成された画像を表示するディスプレイ装置であって、前記画像処理装置で生成され、エンコードされた基準信号の画像を入力し、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部と、を備え、前記画像処理装置が、前記ディスプレイ装置から返送されてきた画像と前記生成された基準信号の画像とが異なる場合には、前記画像処理装置の故障である、または、前記画像処理装置に設定ミスがあると判定し、前記ディスプレイ装置は、受信設定を変更し、前記画像処理装置が、前記ディスプレイ装置から返送されてきた画像と前記生成された基準信号の画像とが一致すると判定した場合であって、前記表示パネルに表示される画像に画質劣化がある場合には、前記デコードされた画像の画質補正を行って前記表示パネルに表示する前記映像表示部に設定ミスがあると判定し、前記映像表示部は、前記デコードされた画像の画質補正を行って前記表示パネルに表示することを特徴とする。
また、本発明の一態様に係るディスプレイ装置は、画像処理装置で生成された画像を表示するディスプレイ装置であって、前記画像処理装置で生成され、エンコードされた基準信号の画像を入力し、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部と、を備え、前記画像処理装置が、前記ディスプレイ装置から返送されてきた画像と前記生成された基準信号の画像とが異なると判定した場合には、前記ディスプレイ装置の受信設定を変更することを特徴とする。
【００１１】
本発明の一態様に係る自己画像診断システムは、表示画像を生成する画像処理装置と、前記画像処理装置で生成された画像を表示するディスプレイ装置とからなる自己画像診断システムであって、前記画像処理装置は、基準信号の画像を生成する基準信号描画部と、前記基準信号の画像をエンコードして出力する映像エンコード出力部と、前記ディスプレイ装置から返送されてきた画像と前記基準信号描画部で生成された画像とを比較する入出力比較部とを有し、前記ディスプレイ装置は、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部とを有し、前記入出力比較部は、前記ディスプレイ装置から返送されてきた画像と生成された基準信号の画像とを比較し、前記ディスプレイ装置から返送されてきた画像と前記生成された基準信号の画像とが異なる場合には、前記画像処理装置の故障である、または、前記画像処理装置に設定ミスがあると判定し、前記ディスプレイ装置から返送されてきた画像と前記生成された基準信号の画像とが一致する場合であって、前記表示パネルに表示される画像に画質劣化がある場合には、前記デコードされた画像の画質補正を行って前記表示パネルに表示する前記映像表示部に設定ミスがあると判定することを特徴とする。
また、本発明の一態様に係る自己画像診断システムは、表示画像を生成する画像処理装置と、前記画像処理装置で生成された画像を表示するディスプレイ装置とからなる自己画像診断システムであって、前記画像処理装置は、基準信号の画像を生成する基準信号描画部と、前記基準信号の画像をエンコードして出力する映像エンコード出力部と、前記ディスプレイ装置から返送されてきた画像と前記基準信号描画部で生成された画像とを比較する入出力比較部とを有し、前記ディスプレイ装置は、入力された映像信号をデコードする映像デコード入力部と、前記デコードされた画像の画質補正を行って表示パネルに表示する映像表示部と、前記画質補正を行う前の画像から前記基準信号に対応する位置の画像を切り出して前記画像処理装置に送信する画像切り出し部とを有し、前記ディスプレイ装置から返送されてきた画像と前記生成された基準信号の画像とが異なる場合には、前記ディスプレイ装置の受信設定を変更することを特徴とする。
【発明の効果】
【００１２】
本発明によれば、ディスプレイ装置から返送されてきた画像と基準信号描画部で生成された画像とを比較することで、表示環境に誤設定があるか否かが分かる。特に、画像データの送受信機器の組み合わせによる色ずれが検出できる。
【図面の簡単な説明】
【００１３】
【図１】本発明の第１の実施形態に係る自己画像診断システムの概要を示すブロック図である。
【図２】本発明の第１の実施形態に係る自己画像診断システムの構成を示す機能ブロック図である。
【図３】色票群の説明図である。
【図４】本発明の第１の実施形態に係る自己画像診断システムにおける画像の切り出し位置の説明図である。
【図５】本発明の第１の実施形態に係る自己画像診断システムにおける色診断機能の動作を示すフローチャートである。
【図６】本発明の第２の実施形態に係る自己画像診断システムにおける色診断機能の動作を示すフローチャートである。
【図７】本発明の第３の実施形態に係る自己画像診断システムにおける色診断機能の動作を示すフローチャートである。
【図８】本発明による自己画像診断システムの基本構成を示す概略ブロック図である。
【発明を実施するための形態】
【００１４】
以下、本発明の実施の形態について図面を参照しながら説明する。図１は、本発明の第１の実施形態に係る表示システム１（自己画像診断システム）の概要を示すものである。
【００１５】
図１において、画像処理装置１０は、表示画像を出力する装置であり、ここでは、例えばパーソナルコンピュータである。画像処理装置１０は、ＣＰＵ(Central ProcessingUnit)、ＲＡＭ(Random AccessMemory)、ＲＯＭ(Read OnlyMemory)、ＨＤＤ(Hard DiskDrive)等の記憶装置、映像出力用のビデオカード等を備えている。また、画像処理装置１０には、キーボードやマウス等の入力装置１１が接続されている。画像処理装置１０は、ＨＤＭＩ(High-Definition MultimediaInterface)等の映像出力端子１２と、ＵＳＢ(Universal SerialBus)等の接続端子１３を備えている。また、画像処理装置１０は、オペレーティング・システムや、アプリケーションプログラムに基いて、動作している。なお、ここでは、画像処理装置１０は、パーソナルコンピュータとしているが、画像処理装置１０としては、その他、ＡＶ機器、放送機器、モバイル機器等であっても良い。
【００１６】
ディスプレイ装置２０は、画像処理装置１０から出力される画像を表示する。ディスプレイ装置２０は、例えばＬＣＤ（Liquid CrystalDisplay）からなる表示パネル２１を備えている。また、ディスプレイ装置２０は、ＨＤＭＩ（High-Definition MultimediaInterface）等の映像入力端子２２と、ＵＳＢ（Universal SerialBus）等の接続端子２３とを有している。
【００１７】
図１に示すように、画像処理装置１０の映像出力端子１２と、ディスプレイ装置２０の映像入力端子２２とがＨＤＭＩケーブル３１で接続される。また、画像処理装置１０の接続端子１３とディスプレイ装置２０の接続端子２３とがＵＳＢケーブル３２で接続される。なお、この例では、画像処理装置１０とディスプレイ装置２０とをＨＤＭＩケーブル３１で接続しているが、画像インターフェースはこれに限定されるものではない。画像インターフェースとしては、ＤＶＩ(Digital VisualInterface)を用いても良い。また、この例では、画像処理装置１０とディスプレイ装置２０とをＵＳＢケーブル３２で接続しているが、データを送受するインターフェースはこれに限定されるものではない。
【００１８】
本発明の第１の実施形態に係る表示システム１では、色表示特性を確認するための診断機能を有している。具体的には、指定ソフトウェアが起動されると、画像処理装置１０は、基準信号の画像データをＨＤＭＩケーブル３１を介してディスプレイ装置２０に送る。ここで、ＨＤＭＩの規格に準拠して、画像処理装置１０は、ＲＧＢ（赤、緑、青）の画像データをＹＣｒＣｂ（輝度、青の色差、赤の色差）の画像データにエンコードして送信している。ディスプレイ装置２０は、この基準信号のデータを受信する。ここで、ディスプレイ装置２０は、ＨＤＭＩの規格に準拠して、受信したＹＣｒＣｂの画像データを、ＲＧＢの画像データにデコードしている。そして、ディスプレイ装置２０は、受信した基準信号の画像データを画質補正して、表示パネル２１に表示する。また、ディスプレイ装置２０は、画質補正する前の画像データの一部の画素の情報を、ＵＳＢケーブル３２を介して、画像処理装置１０に送り返す。
【００１９】
画像処理装置１０は、指定ソフトウェアにより生成した基準信号のＲＧＢ画像の画素の情報と、ディスプレイ装置２０から送り返されたＲＧＢ画像の画素の情報とを比較して、色特性を判定する。そして、画像処理装置１０は、指定ソフトウェアにより生成した基準信号のＲＧＢ画像の画素の情報と、ディスプレイ装置２０から送り返されたＲＧＢ画像の画素の情報とが異なる場合に、異常が発生したと判定する。
【００２０】
次に、本発明の第１の実施形態に係る表示システム１における色診断機能の詳細について説明する。
【００２１】
図２は、本発明の第１の実施形態に係る表示システム１の構成を機能ブロック図で示したものである。図２に示すように、画像処理装置１０は、基準信号描画部５１と、映像補正部５２と、映像エンコード／出力部５３と、入出力比較部５４と、一致／不一致判定部５５とを備えている。
【００２２】
基準信号描画部５１は、色診断を行うためのソフトウェアであり、基準信号のＲＧＢ画像を生成する。映像補正部５２は、描画するＲＧＢ画像をディスプレイに表示される画面内に配置する。映像補正部５２は、具体的には、オペレーティング・システムやビデオカードにより、映像処理を行う部分である。映像エンコード／出力部５３は、描画するＲＧＢ画像を伝送系路に対応した映像信号にエンコードして、映像出力端子１２から出力する。
【００２３】
入出力比較部５４は、ディスプレイ装置２０からＲＧＢ画像を受信し、基準信号描画部５１からの基準信号のＲＧＢ画像と、ディスプレイ装置２０から受信したＲＧＢ画像とを１画素ずつ比較する。また、入出力比較部５４は、画像の切り出し情報（ｘｙ座標）を、ディスプレイ装置２０に送信する。一致／不一致判定部５５は、入出力比較部５４での比較結果が一致しているか否かを利用者に提示する。
【００２４】
ディスプレイ装置２０は、映像デコード／入力部６１と、ＲＧＢフレームバッファ６２と、映像表示部６３と、画像切り出し部６４と、表示パネル２１とを備える。
【００２５】
映像デコード／入力部６１は、映像入力端子２２からＨＤＭＩに対応した映像信号を入力し、この入力映像信号からＲＧＢ画像をデコードする。ＲＧＢフレームバッファ６２は、映像デコード／入力部６１でデコードしたＲＧＢ画像を一時保持する。ＲＧＢフレームバッファ６２は、表示タイミングの調節や画質補正時の参照用として一般的に用いられている。映像表示部６３は、ＲＧＢにデコード後の映像信号を受信し、画質補正を行って、表示パネル２１に画像を表示させる。
【００２６】
画像切り出し部６４は、画像処理装置１０からの画像の切り出し位置情報に基いて、ＲＧＢフレームバッファ６２内からＲＧＢの画像データを切り出し、この切り出したＲＧＢ画像データを画像処理装置１０に送信する。なお、ＲＧＢフレームバッファ６２には、画質補正する前の画像データが保存されている。
【００２７】
図２において、基準信号描画部５１は、図３に示すような色票群（カラーチャート）を検査対象の候補として利用者に提示する。色票群は規格などに従った既知の内容でも良いし、利用者の選択した画像群から頻度の高い色を抽出しても良い。
【００２８】
基準信号描画部５１は、色票群を縦横に整列させたＲＧＢ画像を基準信号の画像として映像補正部５２に出力する。映像補正部５２は、色票群を画面に配置し、映像エンコード／出力部５３に出力する。
【００２９】
映像エンコード／出力部５３は、描画するＲＧＢ画像を伝送系路に対応した映像信号にエンコードして、映像出力端子１２から出力する。具体的には、映像エンコード／出力部５３は、ＲＧＢ画像をＹＣｂＣｒ（輝度、青色差、赤色差）画像にエンコードして、映像出力端子１２に出力する。
【００３０】
ディスプレイ装置２０の映像デコード／入力部６１は、画像処理装置１０からの映像信号を受信し、基準信号の色票と同じフォーマットの非圧縮ＲＧＢ画像にまでデコードする。すなわち、映像デコード／入力部６１は、ＹＣｂＣｒ画像で入力される映像信号から、非圧縮のＲＧＢ画像をデコードする。そして、映像デコード／入力部６１は、１画面分のＲＧＢ画像データをＲＧＢフレームバッファ６２に書き込む。
【００３１】
映像表示部６３は、ＲＧＢフレームバッファ６２の画像データに対し、表示パネルの特性依存した画質補正を加えてから、表示パネル２１に表示する。ここで、映像表示部６３では、表示パネルの特性依存した画質補正（例えば６軸色補正，画面ムラ補正など）を行うことができる。
【００３２】
また、画像処理装置１０の基準信号描画部５１は、色票群を含む画面内の縦横座標を算出する。そして、基準信号描画部５１は、色票群を含む画面内の縦横座標と、選択された色票群のＲＧＢ画像を入出力比較部５４に送信する。
【００３３】
入出力比較部５４は、色票群を含む画面内の縦横座標を切り出し位置情報として、ディスプレイ装置２０に送信する。ここで、色票群の描画は、利用者が主に使用する画像表示ソフトウェアで行っても良い。オペレーティング・システムの画質補正動作はソフトウェアごとに異なる可能性があるためである。この場合、利用者の操作に依存して色票の表示位置や大きさが変化するため、ディスプレイ装置２０では切り出し位置情報の検出・推定が難しい。その場合は推奨の表示位置（例えば中央付近）などを示す位置ガイドマーカーなどを画面に表示し，利用者に色票群の表示位置を調節するよう促すことで代替できる。また、基準信号描画部５１から入出力比較部５４に送る色票群の画像は、簡便にはＲＧＢ階調だが、知覚色に変換したＸＹＺ値またはＬａｂ値でも良い。知覚色に変換したＸＹＺ値またはＬａｂ値を用いれば、より良い検査品質が期待できる。
【００３４】
ディスプレイ装置２０の画像切り出し部６４は、画像切り出し位置情報を受信すると、この画像切り出し位置情報に基づいて、ＲＧＢフレームバッファ６２内のＲＧＢ画像を読み出す。ここで、ＲＧＢフレームバッファ６２に蓄積されているＲＧＢ画像は、映像表示部６３での補正特性は含まれていない。画像切り出し部６４は、ＲＧＢフレームバッファ６２から、画像切り出し位置情報に基づいて、色票群に対応する位置のＲＧＢ画像を切り出し、この切り出したＲＧＢ画像を、画像処理装置１０に送信する。例えば、ＲＧＢフレームバッファ６２内に、図４に示すように、色票群のＲＧＢ画像が蓄積されているとし、切り出し位置がＱ１であるとする。この場合には、図４に示すように、ＲＧＢフレームバッファ６２から、切り出し位置Ｑ１のＲＧＢ画像の画素の階調、例えば（Ｒ３２，Ｇ６４，Ｂ０）が読み出され、このＲＧＢ画像の情報が画像処理装置１０に送信される。
【００３５】
画像処理装置１０の入出力比較部５４は、基準信号描画部５１の指定ソフトウェアにより生成した基準信号のＲＧＢ画像の画素の情報と、ディスプレイ装置２０から送り返されたＲＧＢ画像の画素の情報とを１画素ずつ比較する。そして、一致／不一致判定部５５は、この比較結果に基いて画像の診断を行い、利用者に提示する。
【００３６】
ここで、ＲＧＢフレームバッファ６２に蓄積されているＲＧＢ画像は、映像表示部６３での補正特性は含まれていないため、画像処理装置１０側の映像補正部５２、映像エンコード／出力部５３、若しくはディスプレイ装置２０側の映像デコード／入力部６１等に設定ミスがなければ、基準信号描画部５１で生成した基準信号のＲＧＢ画像の画素とディスプレイ装置２０から送り返されたＲＧＢ画像の画素とが一致するはずである。また、設定ミスが無かったとしても、映像表示部６３での画質補正に問題があれば、表示パネル２１に表示される画像に色ずれが生じる。
【００３７】
基準信号描画部５１で生成した基準信号のＲＧＢ画像の画素とディスプレイ装置２０から送り返されたＲＧＢ画像の画素とが不一致なら、画像処理装置１０側の映像補正部５２、映像エンコード／出力部５３、若しくはディスプレイ装置２０側の映像デコード／入力部６１等に設定ミスがあると判定できる。また、基準信号描画部５１で生成した基準信号のＲＧＢ画像の画素とディスプレイ装置２０から送り返されたＲＧＢ画像の画素とは一致しているが、基準信号として生成した色票群が表示パネル２１に正しく表示されない場合、システムは正常に動作しており、表示環境の誤設定（映像表示部６３の誤設定）であると判定できる。なお、人間の視認限度などを鑑み，一致の判断には一定の許容値（誤差）を用いても良い。
【００３８】
なお、この例では、画像処理装置１０からディスプレイ装置２０に送信する画像切り出し位置情報や、ディスプレイ装置２０から画像処理装置１０に返送するＲＧＢ画像データをＵＳＢで送受信しているが、ＵＳＢ以外のインターフェースを使用してもよい。なお、この場合、ＵＳＢのような双方向通信を行えるものが好ましい。また、ディスプレイ装置２０から画像処理装置１０に返送する画像は、簡便にはＲＧＢ階調だが、知覚色に変換したＸＹＺ値またはＬａｂ値でも良い。知覚色に変換したＸＹＺ値またはＬａｂ値を用いれば、よりよい検査品質が期待できる。
【００３９】
図５は、本発明の第１の実施形態に係る表示システム１における色診断機能の動作を示すフローチャートである。
（ステップＳ１０１）画像処理装置１０は基準信号を生成し、エンコードしてディスプレイ装置２０に送信し、ディスプレイ装置２０は、画像処理装置１０からの基準信号を受信する。そして、ディスプレイ装置２０は、映像デコード／入力部６１で基準信号の色票と同じフォーマットの非圧縮ＲＧＢ画像にまでデコードし、映像表示部６３で画質補正を加えてから、表示パネル２１に基準信号の画像を表示する。
【００４０】
（ステップＳ１０２）また、ディスプレイ装置２０は、補正前の画像のＲＧＢ画像をＲＧＢフレームバッファ６２内に保存する。画像切り出し部６４は、画像処理装置１０から送られてきた画像切り出し位置情報を受信し、その位置情報に基づいて、ＲＧＢフレームバッファ６２内のＲＧＢ画像を読み出す。
【００４１】
（ステップＳ１０３）次に画像切り出し部６４は、ＲＧＢフレームバッファ６２から読み出されたＲＧＢ画像データを、ＵＳＢの接続端子２３を介して、画像処理装置１０に返送する。
【００４２】
（ステップＳ１０４）入出力比較部５４は、ディスプレイ装置２０から受信したＲＧＢ画像の階調と、基準信号描画部５１からの基準信号のＲＧＢ画像の階調とを１画素ずつ比較する。
【００４３】
（ステップＳ１０５）一致／不一致判定部５５は、この比較結果が一致しているかを利用者に提示する。この比較結果から、表示パネル２１に表示される画像に画質劣化がある場合、この画質劣化が表示環境の誤設定により生じたものなのか、機器の故障等により生じたものなのかを判定できる。
【００４４】
以上説明したように、本発明の第１の実施形態では、画像処理装置１０がディスプレイ装置２０に基準信号を送信し、ディスプレイ装置２０が受信した基準信号の画像の一部の画素の情報を切り出し、画像処理装置１０に送り返している。そして、画像処理装置１０は、ディスプレイ装置２０が送り返してきた基準信号の画素の情報と、指定ソフトウェアにより生成した画素の情報とを比較して、色特性を判定している。ディスプレイ装置２０から送り返される画像データは、画質補正する前の画像である。このため、表示パネル２１に表示される画像の色の不具合があったとしても、ディスプレイ装置２０が送り返してきた基準信号の画素と、指定ソフトウェアにより生成した画素とが一致していれば、この色の変化は、ディスプレイ装置２０内の画像補正によるものであると判定できる。また、ディスプレイ装置２０が送り返してきた基準信号の画素と、指定ソフトウェアにより生成した画素の情報とが不一致であれば、画像処理装置１０のビデオカードや、ディスプレイ装置２０の画像入力部等に、故障が発生していると判定できる。
【００４５】
また、本実施形態では、送信側と受信側の総合的な特性が適切かを判断している。また、表示するディスプレイ装置２０で受信された色を取り出して検査するため、表示時と検査時の機器特性差による色ずれが原理的に発生しない。また、本実施形態では、送受信機器の組み合わせによる色ずれが検出できる。また、本実施形態では、既知のテストパターンにより検査ではなく、基準信号の配色を利用者が任意に選択できる。このため、利用用途に近い特性で検査でき、利用者の体感に近い検査結果が得られる。また、本実施形態では、デジタル処理で検査が完結するため、低価格で高精度、高速な検査ができ、また、光学センサを用いた調整検査等が不要である。
【００４６】
＜第２の実施形態＞
次に、本発明の第２の実施形態について説明する。図６は、本発明の第２の実施形態に係る自己画像診断システムにおける色診断機能の動作を示すフローチャートである。この実施形態では、利用者が色票群を選択できる。なお、本発明の第２の実施形態の基本構成は、前述の第１の実施形態と同様である。
【００４７】
（ステップＳ２０１）まず、基準信号描画部５１は、色票群（カラーチャート）を検査対象の候補として利用者に提示し、利用者は、色票群を検査対象の候補として、基準信号の選択を行う。
（ステップＳ２０２）そして、基準信号描画部５１は、色票群を含む画面内の縦横座標を決定する。
（ステップＳ２０３）ディスプレイ装置２０は、画像処理装置１０からの基準信号を受信する。そして、ディスプレイ装置２０は、映像デコード／入力部６１で基準信号の色票と同じフォーマットの非圧縮ＲＧＢ画像にまでデコードし、映像表示部６３で画質補正を加えてから、表示パネル２１に基準信号の画像を表示する。
【００４８】
（ステップＳ２０４）また、ディスプレイ装置２０は、補正前の画像のＲＧＢ画像をＲＧＢフレームバッファ６２内に保存する。画像切り出し部６４は、画像処理装置１０から送られてきた画像切り出し位置情報を受信し、その位置情報に基づいて、ＲＧＢフレームバッファ６２内のＲＧＢ画像を読み出す。
【００４９】
（ステップＳ２０５）次に画像切り出し部６４は、ＲＧＢフレームバッファ６２から読み出されたＲＧＢ画像データを、ＵＳＢの接続端子２３を介して、画像処理装置１０に返送する。
【００５０】
（ステップＳ２０６）入出力比較部５４は、ディスプレイ装置２０から受信したＲＧＢ画像の階調と、基準信号描画部５１からの基準信号のＲＧＢ画像の階調とを１画素ずつ比較する。
【００５１】
（ステップＳ２０７）一致／不一致判定部５５は、この比較結果が一致しているかを利用者に提示する。この比較結果から、表示パネル２１に表示される画像に画質劣化がある場合、この画質劣化が表示環境の誤設定により生じたものなのか、機器の故障等により生じたものなのかを判定できる。
【００５２】
＜第３の実施形態＞
次に、本発明の第３の実施形態について説明する。図７は、本発明の第３の実施形態に係る自己画像診断システムにおける色診断機能の動作を示すフローチャートである。なお、本発明の第３の実施形態の基本構成は、前述の第１及び第２の実施形態と同様である。
【００５３】
（ステップＳ３０１）まず、基準信号描画部５１は、色票群（カラーチャート）を検査対象の候補として利用者に提示し、利用者は、色票群を検査対象の候補として、基準信号の選択を行う。
（ステップＳ３０２）そして、基準信号描画部５１は、色票群を含む画面内の縦横座標を決定する。
（ステップＳ３０３）ディスプレイ装置２０は、画像処理装置１０からの基準信号を受信する。そして、ディスプレイ装置２０は、映像デコード／入力部６１で基準信号が描画した色票と同じフォーマットの非圧縮ＲＧＢ画像にまでデコードし、映像表示部６３で画質補正を加えてから、表示パネル２１に表示する。
【００５４】
（ステップＳ３０４）また、ディスプレイ装置２０は、補正前の画像のＲＧＢ画像をＲＧＢフレームバッファ６２内に保存する。画像切り出し部６４は、画像処理装置１０から送られてきた画像切り出し位置情報を受信し、その位置情報に基づいて、ＲＧＢフレームバッファ６２内のＲＧＢ画像情報を読み出す。
【００５５】
（ステップＳ３０５）次に画像切り出し部６４は、ＲＧＢフレームバッファ６２から読み出されたＲＧＢ画像データを、ＵＳＢの接続端子２３を介して、画像処理装置１０に返送する。
【００５６】
（ステップＳ３０６）入出力比較部５４は、ディスプレイ装置２０から受信したＲＧＢ画像と、基準信号描画部５１から基準信号のＲＧＢ画像を受信する。次に入出力比較部５４は、ディスプレイ装置２０から受信したＲＧＢ画像の階調と、基準信号のＲＧＢ画像の階調とを、１画素ずつ比較する。
【００５７】
（ステップＳ３０７）ディスプレイ装置２０から受信したＲＧＢ画像の階調と、基準信号のＲＧＢ画像の階調とが一致しない場合（ステップＳ３０７：Ｎｏ）、処理をステップＳ３０８に進め、一致する場合（ステップＳ３０７：Ｙｅｓ）、処理をステップＳ３１０に進める。
【００５８】
（ステップＳ３０８）ディスプレイ装置２０は、受信設定（例えばＹＣｒＣｂ−ＲＧＢ変換行列や信号レベル範囲は複数の規格値が存在する）を切り替えて、処理をステップＳ３０９に進める。
（ステップＳ３０９）ディスプレイ装置２０は、全ての受信設定に変更したかを判定し、全ての受信設定に変更していなければ（ステップＳ３０９：Ｎｏ）、ステップＳ３０４に処理を戻し、再度、ディスプレイ装置２０からＲＧＢ画像を受信する。全ての受信設定に変更していれば（ステップＳ３０９：Ｙｅｓ）、ステップＳ３１０に処理を進める。
【００５９】
（ステップＳ３１０）一致／不一致判定部５５は、判定結果を利用者に提示する。
【００６０】
以上説明したように、本実施形態では、ディスプレイ装置２０から受信したＲＧＢ画像の階調と、基準信号のＲＧＢ画像の階調とが不一致の場合、ディスプレイ装置２０の受信設定を切り替えて再度受信を行い、基準信号と一致するようディスプレイ装置２０の受信設定を修正することができる。
【００６１】
図８は、本発明による自己画像診断システムの基本構成を示す概略ブロック図である。本発明による自己画像診断システムは、表示画像を生成する画像処理装置１１０と、画像処理装置１１０で生成された画像を表示するディスプレイ装置１２０とからなる。
【００６２】
画像処理装置１１０は、基準信号描画部１１１と、映像エンコード出力部１１２と、入出力比較部１１３とを基本構成とする。基準信号描画部１１１は、基準信号の画像を生成する。映像エンコード出力部１１２は、基準信号の画像をエンコードして出力する。入出力比較部１１３は、ディスプレイ装置から返送されてきた画像と基準信号描画部で生成された画像とを比較する。
【００６３】
ディスプレイ装置１２０は、映像デコード入力部１２１と、映像表示部１２３と、画像切り出し部１２４とを基本構成とする。映像デコード入力部１２１は、入力された映像信号をデコードする。映像表示部１２３は、デコードされた画像の画質補正を行って表示パネル１２２に表示する。画像切り出し部１２４は、画質補正を行う前の画像から基準信号に対応する位置の画像を切り出して画像処理装置１１０に送信する。
【００６４】
本発明では、ディスプレイ装置１２０から返送されてきた画像と基準信号描画部１１１で生成された画像とを比較して自己画像診断を行う。これにより、表示環境に誤設定があるか否かが分かる。
【００６５】
なお、表示システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６６】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６７】
１    表示システム（自己画像診断システム）
１０    画像処理装置
１１    入力装置
２０    ディスプレイ装置
２１    表示パネル
５１    基準信号描画部
５２    映像補正部
５３    映像エンコード／出力部
５４    入出力比較部
５５    一致／不一致判定部
６１    映像デコード／入力部
６２    ＲＧＢフレームバッファ
６３    映像表示部
６４    画像切り出し部
【図１】
0006702602.tif 000002
【図２】
0006702602.tif 000003
【図３】
0006702602.tif 000004
【図４】
0006702602.tif 000005
【図５】
0006702602.tif 000006
【図６】
0006702602.tif 000007
【図７】
0006702602.tif 000008
【図８】
0006702602.tif 000009